【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
少なくとも１つのゲル化剤と、少なくとも１つの硬化性ワックスと、少なくとも１つの硬化性モノマーと、少なくとも１つのＵＶを吸収する光開始剤と、少なくとも１つの結晶性ポリエステル樹脂とを含む、硬化性転相インク組成物であって、
前記少なくとも１つの結晶性ポリエステル樹脂が、２１，３００ダルトン（Ｄａ）〜２２，０００Ｄａの重量平均分子量（ＭＷ）を有し、
前記少なくとも１つの結晶性ポリエステル樹脂が、前記硬化性転相インク組成物の１重量％〜５重量％の量で存在し、
前記少なくとも１つの硬化性モノマーが、多官能アクリレートモノマー、アクリレート化エステル、アクリレート化エーテル、アクリレート化エポキシ、およびウレタンアクリレートからなる群から選択される、硬化性転相インク組成物。
【請求項２】
前記少なくとも１つの結晶性ポリエステル樹脂が、９，０００Ｄａ〜１１，０００Ｄａの数平均分子量（Ｍｎ）を有し、２．０〜２．２の多分散度を有する、請求項１に記載の硬化性転相インク組成物。
【請求項３】
前記少なくとも１つの結晶性ポリエステル樹脂が、少なくとも１つの有機ジオールと、少なくとも１つの有機二塩基酸とを反応させることによって作成され、
前記有機ジオールが、エチレングリコール、プロピレングリコール、テトラフルオロ−１，４−ブタンジオール、ジエチレングリコール、２，２−ジメチル−１，３−プロパンジオール、シクロヘキサンジオール、１，４−ブタンジオール、１，５−ペンタンジオール、１，６−ヘキサンジオール、トリエチレングリコール、ダイマージオール、１，７−ヘプタンジオール、ベンゼンジメタノール、シクロヘキサンジメタノール、２，２−ジブチル−１，３−プロパンジオール、２，８−ビス（ヒドロキシメチル）三環［５．２．１．０２，６］デカン、１，１６−ヘキサデカンジオール、２−フェニル−１，３−プロパンジオールからなる群から選択され、
前記有機二塩基酸が、アジピン酸、コハク酸、セバシン酸、ドデカン二酸、フマル酸、イソフタル酸、テレフタル酸、オキサロ酢酸、ダイマー二塩基酸、シュウ酸、マロン酸、テトラフルオロコハク酸、メチルマロン酸、チオジ酢酸、ジグリコール酸、マレイン酸、オキサロ酢酸、アセトキシ酢酸、シクロプロパン−１，１−ジカルボン酸、グルタコン酸、イタコン酸、１，３−アセトンジカルボン酸、ケトグルタル酸、ジメチルマロン酸、メチルコハク酸、グルタル酸、ムコン酸、シクロブタン−１，１−ジカルボン酸、２−オキソアジピン酸、２，２−ジメチルコハク酸、メチルグルタル酸、３，３’−チオジプロピオン酸、４−オキソヘプタン二酸、ジメチルグルタル酸、シクロヘキサン−１，１−ジカルボン酸、５−オキソアゼライン酸、フェニレンジ酢酸、インダン−２，２−ジカルボン酸、テトラデカン二酸、ヘキサデカン二酸からなる群から選択される、請求項１に記載の硬化性転相インク組成物。
【請求項４】
前記少なくとも１つの結晶性ポリエステル樹脂が、ポリ（エチレン−アジペート）、ポリ（プロピレン−アジペート）、ポリ（ブチレン−アジペート）、ポリ（ペンチレン−アジペート）、ポリ（ヘキシレン−アジペート）、ポリ（オクチレン−アジペート）、ポリ（エチレン−サクシネート）、ポリ（プロピレン−サクシネート）、ポリ（ブチレン−サクシネート）、ポリ（ペンチレン−サクシネート）、ポリ（ヘキシレン−サクシネート）、ポリ（オクチレン−サクシネート）、ポリ（エチレン−セバケート）、ポリ（プロピレン−セバケート）、ポリ（ブチレン−セバケート）、ポリ（ペンチレン−セバケート）、ポリ（ヘキシレン−セバケート）、ポリ（オクチレン−セバケート）、ポリ（ノニレン−セバケート）、ポリ（デシレン−セバケート）、ポリ（ウンデシレン−セバケート）、ポリ（ドデシレン−セバケート）、ポリ（エチレン−ドデカンジオエート）、ポリ（プロピレン−ドデカンジオエート）、ポリ（ブチレン−ドデカンジオエート）、ポリ（ペンチレン−ドデカンジオエート）、ポリ（ヘキシレン−ドデカンジオエート）、ポリ（オクチレン−ドデカンジオエート）、ポリ（ノニレン−ドデカンジオエート）、ポリ（デシレン−ドデカンジオエート）、ポリ（ウンデシレン−ドデカンジオエート）、ポリ（ドデシレン−ドデカンジオエート）、ポリ（エチレン−フマレート）、ポリ（プロピレン−フマレート）、ポリ（ブチレン−フマレート）、ポリ（ペンチレン−フマレート）、ポリ（ヘキシレン−フマレート）、ポリ（オクチレン−フマレート）、ポリ（ノニレン−フマレート）、ポリ（デシレン−フマレート）、コポリ（５−スルホイソフタロイル）−コポリ（エチレン−アジペート）、コポリ（５−スルホイソフタロイル）−コポリ（プロピレン−アジペート）、コポリ（５−スルホイソフタロイル）−コポリ（ブチレン−アジペート）、コポリ（５−スルホ−イソフタロイル）−コポリ（ペンチレン−アジペート）、コポリ（５−スルホ−イソフタロイル）−コポリ（ヘキシレン−アジペート）、コポリ（５−スルホ−イソフタロイル）−コポリ（オクチレン−アジペート）、コポリ（５−スルホ−イソフタロイル）−コポリ（エチレン−アジペート）、コポリ（５−スルホ−イソフタロイル）−コポリ（プロピレン−アジペート）、コポリ（５−スルホ−イソフタロイル）−コポリ（ブチレン−アジペート）、コポリ（５−スルホ−イソフタロイル）−コポリ（ペンチレン−アジペート）、コポリ（５−スルホ−イソフタロイル）−コポリ（ヘキシレン−アジペート）、コポリ（５−スルホ−イソフタロイル）−コポリ（オクチレン−アジペート）、コポリ（５−スルホイソフタロイル）−コポリ（エチレン−サクシネート）、コポリ（５−スルホイソフタロイル）−コポリ（プロピレン−サクシネート）、コポリ（５−スルホイソフタロイル）−コポリ（ブチレン−サクシネート）、コポリ（５−スルホイソフタロイル）−コポリ（ペンチレン−サクシネート）、コポリ（５−スルホイソフタロイル）−コポリ（ヘキシレン−サクシネート）、コポリ（５−スルホイソフタロイル）−コポリ（オクチレン−サクシネート）、コポリ（５−スルホ−イソフタロイル）−コポリ（エチレン−セバケート）、コポリ（５−スルホ−イソフタロイル）−コポリ（プロピレン−セバケート）、コポリ（５−スルホ−イソフタロイル）−コポリ（ブチレン−セバケート）、コポリ（５−スルホ−イソフタロイル）−コポリ（ペンチレン−セバケート）、コポリ（５−スルホ−イソフタロイル）−コポリ（ヘキシレン−セバケート）、コポリ（５−スルホ−イソフタロイル）−コポリ（オクチレン−セバケート）、コポリ（５−スルホ−イソフタロイル）−コポリ（エチレン−アジペート）、コポリ（５−スルホ−イソフタロイル）−コポリ（プロピレン−アジペート）、コポリ（５−スルホ−イソフタロイル）−コポリ（ブチレン−アジペート）、コポリ（５−スルホ−イソフタロイル）−コポリ（ペンチレン−アジペート）、コポリ（５−スルホ−イソフタロイル）−コポリ（ヘキシレン−アジペート）、およびこれらの組み合わせからなる群から選択されるポリエステルを含む、請求項１に記載の硬化性転相インク組成物。
【請求項５】
前記インク組成物が、３０００Ｐａ〜４０００Ｐａの弾性係数（Ｇ’）を有し、２５℃〜３５℃のゲル化温度で１０４ｍＰａ・ｓ〜１０６．５ｍＰａ・ｓの粘度を有し、
前記インク組成物が、６０℃〜１００℃の吐出温度で、３〜１５ｍＰａ・ｓの粘度を有する、請求項１〜４のいずれか一項に記載の硬化性転相インク組成物。
【請求項６】
前記少なくとも１つの結晶性ポリエステル樹脂が、ポリ（ドデカン酸−ａｌｔ−１，９−ノナンジオール）エステル、およびポリ（ドデカン酸−ａｌｔ−（１，９−ノナンジオール）０．４７５（ネオペンチルグリコール）０．０２５）エステルからなる群から選択される、請求項１〜５のいずれか一項に記載の硬化性転相インク組成物。
【請求項７】
前記少なくとも１つの硬化性モノマーが、プロポキシル化ネオペンチルグリコールジアクリレートを含む、請求項１〜６のいずれか一項に記載の硬化性転相インク組成物。
【請求項８】
基板に印刷するための硬化性転相インク組成物と、インクを吐出するデバイスと、接触によって平滑化する部材またはローラと、場合により中間転写体と、吐出した前記硬化性転相  インク組成物を硬化させる硬化デバイスとを備え、
ここで、前記インク組成物が、少なくとも１つのゲル化剤と、少なくとも１つの硬化性ワックスと、少なくとも１つの硬化性モノマーと、少なくとも１つのＵＶを吸収する光開始剤と、少なくとも１つの結晶性ポリエステル樹脂とを含み、
前記少なくとも１つの結晶性ポリエステル樹脂が、２１，３００ダルトン（Ｄａ）〜２２，０００Ｄａの重量平均分子量（ＭＷ）を有し、
前記少なくとも１つの結晶性ポリエステル樹脂が、前記硬化性転相インク組成物の１重量％〜５重量％の量で存在し、
前記少なくとも１つの硬化性モノマーが、多官能アクリレートモノマー、アクリレート化エステル、アクリレート化エーテル、アクリレート化エポキシ、およびウレタンアクリレートからなる群から選択されるものである、
インク印刷デバイス。
【手続補正２】
【補正対象書類名】明細書
【補正対象項目名】発明の名称
【補正方法】変更
【補正の内容】
【発明の名称】硬化性転相インク組成物およびインク印刷デバイス